【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
装置であって、
内側と、前記内側を取り囲む内面と、前記内面に対向する外面とを有するケースと、
前記ケースの前記内側にあるバッテリチャージャ回路と、ここにおいて、前記バッテリチャージャは、バッテリを充電するように構成され、前記バッテリチャージャ回路は、前記バッテリチャージャ回路における最大電流を設定するように構成された電流リミット回路を備える、
前記ケースの前記内側にあり、前記ケースの前記内面と直接接触している熱センサ回路と、ここにおいて、前記熱センサ回路は、前記バッテリおよび前記バッテリチャージング回路と接触していない、
を備え、
前記熱センサ回路は、前記ケースの前記内面上の温度を感知し、前記ケースの前記内面上の前記温度が閾値を満たすとき、前記バッテリチャージャ回路内の前記電流リミット回路を調整するように構成される、
装置。
【請求項２】
前記熱センサ回路は、サーミスタを備え、前記装置は、基準電圧と前記サーミスタの端子との間に構成された抵抗器をさらに備える、請求項１に記載の装置。
【請求項３】
前記温度センサ回路の端子上の第１の電圧は、前記内面上の前記温度に基づいて変化し、前記第１の電圧は、前記電流リミット回路を調整するために、前記バッテリチャージャ回路の端子に結合される、請求項１に記載の装置。
【請求項４】
前記バッテリチャージャ回路は、
前記第１の電圧を受け取る第１の端子と、基準電圧に結合された第２の端子とを有するコンパレータ
をさらに備え、前記コンパレータは、前記第１の電圧が前記基準電圧を満たすとき、前記バッテリチャージング回路における前記最大電流を低減させる、請求項３に記載の装置。
【請求項５】
前記基準電圧は、プログラマブルである、請求項４に記載の装置。
【請求項６】
前記コンパレータは、ヒステリシスを備える、請求項４に記載の装置。
【請求項７】
前記基準電圧は、抵抗分割器によって生成される、請求項４に記載の装置。
【請求項８】
前記バッテリチャージャ回路は、
前記第１の電圧を受け取る第１の端子と、基準電圧に結合された第２の端子とを有するアナログ／デジタル変換器と、前記アナログ／デジタル変換器は、前記第１の電圧のデジタル表現を生成する、
前記第１の電圧の前記デジタル表現と、前記閾値のデジタル表現とを受け取るデジタルコンパレータと
をさらに備え、
前記アナログ／デジタル変換器は、前記第１の電圧の前記デジタル表現が、前記閾値の前記デジタル表現を満たすとき、前記バッテリチャージャ回路における前記最大電流を低減させる、
請求項３に記載の装置。
【請求項９】
前記閾値の前記デジタル表現は、プログラマブルである、請求項８に記載の装置。
【請求項１０】
前記熱センサ回路は、前記バッテリチャージャ回路、プロセッサ、ＲＦ回路、およびディスプレイ回路のうちの１つの近くに配置される、請求項１に記載の装置。
【請求項１１】
前記熱センサ回路は、複数の熱センサ回路であり、前記装置は、モバイルデバイスであり、前記モバイルデバイスは、
前記モバイルデバイスの前記ケースの内側に構成されたバッテリと、
前記バッテリチャージャ回路を通じて電力を受け取るプロセッサと、
前記バッテリチャージャ回路を通じて電力を受け取るＲＦ回路と、
前記電流リミット回路を調整するための、最高温度を有する前記複数の熱センサ回路のうちの１つを選択するために前記複数の熱センサ回路に結合された複数の入力を有するマルチプレクサと
をさらに備え、
前記複数の熱センサ回路は、前記バッテリチャージャ回路、前記プロセッサ、および前記ＲＦ回路によって前記ケースの前記内面において生じたホットスポットの温度を制御するために、少なくとも前記バッテリチャージャ回路、前記プロセッサ、および前記ＲＦ回路のロケーションの近くで構成される、
請求項１に記載の装置。
【請求項１２】
バッテリチャージャは、スイッチングレギュレータを備え、前記電流リミット回路は、
前記熱センサ回路に結合された入力と、比較回路に結合された出力とを有する調整可能な基準と、
前記スイッチングレギュレータにおける電流を検出するための入力と、前記比較回路に結合された出力とを有する電流検出器と
を備え、
前記電流検出器の前記出力における電圧が、前記調整可能な基準の前記出力における電圧を満たすとき、前記比較回路は、前記スイッチングレギュレータの最大のデューティサイクルを設定する、
請求項１に記載の装置。
【請求項１３】
方法であって、
熱センサ回路を使用してモバイルデバイスのケースの内面上の温度を感知することと、前記ケースは、内側と、前記内側を取り囲む前記内面と、前記内部回路に対向する外面とを有し、前記熱センサ回路は、前記ケースの前記内側にあり、前記ケースの前記内面と直接接触している、
前記ケースの前記内面上の前記温度が閾値を満たすとき、バッテリチャージャ回路内の電流リミット回路を調整することと、ここにおいて、前記バッテリチャージャ回路は、前記ケースの前記内側にあり、バッテリを充電するように構成され、前記バッテリチャージャ回路は、前記バッテリチャージャ回路における最大電流を設定するように構成された前記電流リミット回路を備え、前記熱センサ回路は、前記バッテリおよび前記バッテリチャージャ回路と接触していない、
を備える方法。
【請求項１４】
前記温度センサ回路の端子上の第１の電圧は、前記ケース上の前記温度に基づいて変化し、前記第１の電圧は、前記電流リミット回路を調整するために、前記バッテリチャージャ回路の端子に結合される、請求項１３に記載の方法。
【請求項１５】
前記バッテリチャージャ回路が、前記第１の電圧と基準電圧を比較することと、それにしたがって、前記第１の電圧が前記基準電圧を満たすとき、前記バッテリチャージング回路における前記最大電流を低減させることとをさらに備える、請求項１４に記載の方法。
【請求項１６】
前記バッテリチャージャが、前記第１の電圧を前記第１の電圧のデジタル表現に変換することと、
前記第１の電圧の前記デジタル表現と、前記閾値のデジタル表現とをデジタルに比較することと、
前記第１の電圧の前記デジタル表現が、前記閾値の前記デジタル表現を満たすとき、前記バッテリチャージャ回路における前記最大電流を低減させることと
をさらに備える、請求項１４に記載の方法。
【請求項１７】
前記閾値の前記デジタル表現は、プログラマブルである、請求項１６に記載の方法。
【請求項１８】
前記熱センサ回路は、前記バッテリチャージャ回路、プロセッサ、ＲＦ回路、およびディスプレイ回路のうちの１つの近くに配置される、請求項１３に記載の方法。
【請求項１９】
前記熱センサ回路は、複数の熱センサ回路であり、前記方法は、
前記電流リミット回路を調整するための、最高温度を有する複数の熱センサ回路のうちの１つを決定するために前記複数の熱センサ回路のうちの１つを反復的に選択すること
をさらに備え、
前記複数の熱センサ回路は、少なくとも前記バッテリチャージャ、プロセッサ、およびＲＦ回路の近くで構成される、請求項１３に記載の方法。
【請求項２０】
バッテリチャージャ回路は、スイッチングレギュレータを備え、前記方法は、前記感知された温度に基づいて設定された基準を、前記電流レギュレータにおける検出された電流と比較することと、それにしたがって、前記検出された電流が前記基準よりも上に増加したとき、前記スイッチングレギュレータの最大デューティサイクルを設定することとをさらに備える、請求項１３に記載の方法。
【請求項２１】
第１の熱センサ回路は、前記ケースの温度を制御するために、前記ケースの前記内面と、前記バッテリチャージャ回路、プロセッサ、ＲＦ回路、電力管理集積回路、およびディスプレイ回路のうちの少なくとも１つと、の間に構成される、請求項１に記載の装置。
【請求項２２】
第１の熱センサ回路は、前記バッテリチャージャ回路と、第１の内面ロケーションとの間に構成され、第２の熱センサ回路は、前記プロセッサと、第２の内面ロケーションとの間に構成され、第３の熱センサ回路は、前記ＲＦ回路と、第３の内面ロケーションとの間に構成される、請求項１１に記載の装置。
【手続補正２】
【補正対象書類名】明細書
【補正対象項目名】００２６
【補正方法】変更
【補正の内容】
【００２６】
[0034]  上記説明は、特定の実施形態の態様がどのように実現され得るかについての例とともに、本開示の様々な実施形態を例示する。上記例は、唯一の実施形態であるとみなされるべきではなく、以下の特許請求の範囲によって定義される特定の実施形態の柔軟性および利点を例示するために提示されている。上記開示と以下の特許請求の範囲に基づいて、他の配列、実施形態、実装形態、および等価物が、特許請求の範囲で定義される本開示の範囲から逸脱することなく、用いられ得る。
以下に本願の出願当初の特許請求の範囲に記載された発明を付記する。
［Ｃ１］
装置であって、
内面と外面とを有するケースと、
前記ケースの内側に構成されたバッテリチャージャ回路と、前記バッテリチャージャ回路は、前記バッテリチャージャ回路における最大電流を設定する電流リミット回路を備える、
前記ケースの前記内面上に構成されており、前記バッテリチャージング回路の外側にある熱センサ回路と
を備え、
前記熱センサ回路は、前記内面上の温度を感知し、前記内面上の前記温度が閾値を満たすとき、前記バッテリチャージャ回路内の前記電流リミット回路を調整する、
装置。
［Ｃ２］
前記熱センサ回路は、サーミスタを備え、前記装置は、基準電圧と前記サーミスタの端子との間に構成された抵抗器をさらに備える、Ｃ１に記載の装置。
［Ｃ３］
前記温度センサ回路の端子上の第１の電圧は、前記内面上の前記温度に基づいて変化し、前記第１の電圧は、前記電流リミット回路を調整するために、前記バッテリチャージャ回路の端子に結合される、Ｃ１に記載の装置。
［Ｃ４］
前記バッテリチャージャ回路は、
前記第１の電圧を受け取る第１の端子と、基準電圧に結合された第２の端子とを有するコンパレータ
をさらに備え、前記コンパレータは、前記第１の電圧が前記基準電圧を満たすとき、前記バッテリチャージング回路における前記最大電流を低減させる、Ｃ３に記載の装置。
［Ｃ５］
前記基準電圧は、プログラマブルである、Ｃ４に記載の装置。
［Ｃ６］
前記コンパレータは、ヒステリシスを備える、Ｃ４に記載の装置。
［Ｃ７］
前記基準電圧は、抵抗分割器によって生成される、Ｃ４に記載の装置。
［Ｃ８］
前記バッテリチャージャ回路は、
前記第１の電圧を受け取る第１の端子と、基準電圧に結合された第２の端子とを有するアナログ／デジタル変換器と、前記アナログ／デジタル変換器は、前記第１の電圧のデジタル表現を生成する、
前記第１の電圧の前記デジタル表現と、前記閾値のデジタル表現とを受け取るデジタルコンパレータと
をさらに備え、
前記アナログ／デジタル変換器は、前記第１の電圧の前記デジタル表現が、前記閾値の前記デジタル表現を満たすとき、前記バッテリチャージャ回路における前記最大電流を低減させる、
Ｃ３に記載の装置。
［Ｃ９］
前記閾値の前記デジタル表現は、プログラマブルである、Ｃ８に記載の装置。
［Ｃ１０］
前記熱センサ回路は、前記バッテリチャージャ回路、プロセッサ、ＲＦ回路、およびディスプレイ回路のうちの１つの近くに配置される、Ｃ１に記載の装置。
［Ｃ１１］
前記熱センサ回路は、複数の熱センサ回路であり、前記装置は、
前記電流リミット回路を調整するための、最高温度を有する前記複数の熱センサ回路のうちの１つを選択するために前記複数の熱センサ回路に結合された複数の入力を有するマルチプレクサ
をさらに備え、
前記複数の熱センサ回路は、少なくとも前記バッテリチャージャ、プロセッサ、およびＲＦ回路の近くで構成される、Ｃ１に記載の装置。
［Ｃ１２］
バッテリチャージャは、スイッチングレギュレータを備え、前記電流リミット回路は、
前記熱センサ回路に結合された入力と、比較回路に結合された出力とを有する調整可能な基準と、
前記スイッチングレギュレータにおける電流を検出するための入力と、前記比較回路に結合された出力とを有する電流検出器と
を備え、
前記電流検出器の前記出力における電圧が、前記調整可能な基準の前記出力における電圧を満たすとき、前記比較回路は、前記スイッチングレギュレータの最大のデューティサイクルを設定する、
Ｃ１に記載の装置。
［Ｃ１３］
方法であって、
モバイルデバイスのケース上に構成された熱センサ回路を使用して前記ケースの内面上の温度を感知することと、前記ケースは、外面をさらに備える、
前記内面上の前記温度が閾値を満たすとき、バッテリチャージャ回路内の電流リミット回路を調整することと、ここにおいて、前記バッテリチャージャ回路は、前記ケースの内部に構成され、前記電流リミット回路は、前記バッテリチャージャ回路における最大電流を設定する、
を備える方法。
［Ｃ１４］
前記温度センサ回路の端子上の第１の電圧は、前記ケース上の前記温度に基づいて変化し、前記第１の電圧は、前記電流リミット回路を調整するために、前記バッテリチャージャ回路の端子に結合される、Ｃ１３に記載の方法。
［Ｃ１５］
前記バッテリチャージャ回路が、前記第１の電圧と基準電圧を比較することと、それにしたがって、前記第１の電圧が前記基準電圧を満たすとき、前記バッテリチャージング回路における前記最大電流を低減させることとをさらに備える、Ｃ１４に記載の方法。
［Ｃ１６］
前記バッテリチャージャが、前記第１の電圧を前記第１の電圧のデジタル表現に変換することと、
前記第１の電圧の前記デジタル表現と、前記閾値のデジタル表現とをデジタルに比較することと、
前記第１の電圧の前記デジタル表現が、前記閾値の前記デジタル表現を満たすとき、前記バッテリチャージャ回路における前記最大電流を低減させることと
を備える、Ｃ１４に記載の方法。
［Ｃ１７］
前記閾値の前記デジタル表現は、プログラマブルである、Ｃ１６に記載の方法。
［Ｃ１８］
前記熱センサ回路は、前記バッテリチャージャ回路、プロセッサ、ＲＦ回路、およびディスプレイ回路のうちの１つの近くに配置される、Ｃ１３に記載の方法。
［Ｃ１９］
前記熱センサ回路は、複数の熱センサ回路であり、前記方法は、
前記電流リミット回路を調整するための、最高温度を有する複数の熱センサ回路のうちの１つを決定するために前記複数の熱センサ回路のうちの１つを反復的に選択すること
をさらに備え、
前記複数の熱センサ回路は、少なくとも前記バッテリチャージャ、プロセッサ、およびＲＦ回路の近くで構成される、Ｃ１３に記載の方法。
［Ｃ２０］
バッテリチャージャ回路は、スイッチングレギュレータを備え、前記方法は、前記感知された温度に基づいて設定された基準を、前記電流レギュレータにおける検出された電流と比較することと、それにしたがって、前記検出された電流が前記基準よりも上に増加したとき、前記スイッチングレギュレータの最大デューティサイクルを設定することとをさらに備える、Ｃ１３に記載の方法。